【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
インク組成物であって、
少なくとも１つの硬化性モノマーと、
少なくとも１つのゲル化剤を含み、
任意の光開始剤を含んでもよく、
任意の着色剤を含んでもよく、
前記インク組成物が、約２０℃〜約４０℃の温度で約１０2センチポイズ〜約１０4センチポイズの粘度を有し、
前記インク組成物が、約２０℃〜約４０℃の温度でインク噴射可能およびピニング可能の両方であるという特性を有する、インク組成物。
【請求項２】
前記インク組成物が、約２５℃〜約３５℃の温度で約１０2センチポイズ〜約１０4センチポイズの粘度を有する、請求項１に記載のインク組成物。
【請求項３】
前記インク組成物が、約２０℃〜約４０℃の温度で約１０2.5センチポイズ〜約１０3.5センチポイズの粘度を有する、請求項１に記載のインク組成物。
【請求項４】
前記インク組成物が、約２５℃〜約３５℃の温度で約１０2.5センチポイズ〜約１０3.5センチポイズの粘度を有する、請求項１に記載のインク組成物。
【請求項５】
前記少なくとも１つのゲル化剤が、アミドゲル化剤、ビス尿素ゲル化剤、およびこれらの組み合わせからなる群から選択されるゲル化剤である、請求項１に記載のインク組成物。
【請求項６】
前記少なくとも１つのゲル化剤が、約８００〜約２，５００の重量平均分子量を有する低分子量アミドゲル化剤である、請求項１に記載のインク組成物。
【請求項７】
前記少なくとも１つのゲル化剤が、次式の化合物であり、
【化１】
2019104905.tif 000001
式中、Ｒ1およびＲ1’は、同一または異なることができ、Ｒ1およびＲ1’が、各々互いに独立して、（ｉ）直鎖もしくは分枝鎖、環状もしくは非環状、および置換もしくは非置換アルキル基であり得る、内部に少なくとも１個のエチレン性不飽和を有するアルキル基であって、ヘテロ原子が、前記アルキル基中に任意で存在してもよい、アルキル基、（ｉｉ）置換もしくは非置換アリールアルキル基であり得る、内部に少なくとも１個のエチレン性不飽和を有するアリールアルキル基であって、アリールアルキル基のアルキル部分が、直鎖もしくは分枝鎖、環状もしくは非環状、および置換もしくは非置換であり得、ヘテロ原子が、前記アリールアルキル基のアリール部分もしくはアルキル部分のいずれかに任意で存在してもよい、アリールアルキル基、（ｉｉｉ）置換もしくは非置換のアルキルアリール基であり得る、内部に少なくとも１個のエチレン性不飽和を有するアルキルアリール基であって、前記アルキルアリール基のアルキル部分が、直鎖もしくは分枝鎖、環状もしくは非環状、および置換もしくは非置換であり得、ヘテロ原子が、前記アルキルアリール基のアリール部分もしくはアルキル部分のいずれかに任意で存在してもよい、アルキルアリール基、または（ｉｖ）芳香族基であり、
但し、Ｒ1およびＲ1’のうちの少なくとも１つが芳香族基であり、かつＲ1またはＲ1’のいずれも光開始剤基ではないことを条件とし、
Ｒ2およびＲ2’は、同一または異なり、Ｒ2およびＲ2’が、各々互いに独立して、（ｉ）直鎖もしくは分枝鎖、飽和もしくは不飽和、環状もしくは非環状、置換もしくは非置換のアルキレン基であり得るアルキレン基であって、ヘテロ原子が、前記アルキレン基中に任意で存在してもよい、アルキレン基、（ｉｉ）置換もしくは非置換アリーレン基であり得るアリーレン基であって、ヘテロ原子が、前記アリーレン基中に任意で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分もしくはアルキル部分のいずれかに任意で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれかに任意で存在してもよい、アルキルアリーレン基から選択され、
式中、Ｒ3は、（ｉ）飽和もしくは不飽和および置換もしくは非置換アルキレン基であり得る直鎖もしくは分枝鎖アルキレン基であって、ヘテロ原子が、前記アルキレン基中に任意で存在してもよい、アルキレン基、（ｉｉ）置換もしくは非置換アリーレン基であり得るアリーレン基であって、ヘテロ原子が、前記アリーレン基中に任意で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分または前記アルキル部分のいずれかに任意で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれかに任意で存在してもよい、アルキルアリーレン基である、請求項１に記載のインク組成物。
【請求項８】
前記少なくとも１つのゲル化剤が、次式の化合物であり、
【化２】
2019104905.tif 000002
式中、Ｒ1およびＲ1’は、同一であり、Ｒ1およびＲ1’は、各々芳香族基であり、
Ｒ2およびＲ2’は、同一または異なり、Ｒ2およびＲ2’が、各々独立して、（ｉ）直鎖もしくは分枝鎖、飽和もしくは不飽和、環状もしくは非環状、置換もしくは非置換のアルキレン基であり得るアルキレン基であって、ヘテロ原子が、前記アルキレン基中に任意で存在してもよい、アルキレン基、（ｉｉ）置換もしくは非置換アリーレン基であり得るアリーレン基であって、ヘテロ原子が、前記アリーレン基中に任意で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前アリールアルキレン基のアリール部分もしくはアルキル部分のいずれか中に任意で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれか中に任意で存在してもよい、アルキルアリーレン基から選択され、
式中、Ｒ3は、（ｉ）飽和もしくは不飽和および置換もしくは非置換アルキレン基であり得る直鎖もしくは分枝鎖アルキレン基であって、ヘテロ原子が、前記アルキレン基中に任意で存在してもよい、アルキレン基、（ｉｉ）置換もしくは非置換アリーレン基であり得るアリーレン基であって、ヘテロ原子が、前記アリーレン基中に、任意で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分もしくはアルキル部分のいずれか中に任意で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれか中に任意で存在してもよい、アルキルアリーレン基である、請求項１に記載のインク組成物。
【請求項９】
前記少なくとも１つのゲル化剤が、次式の化合物であり、
【化３】
2019104905.tif 000003
式中、ｎは、１〜１０であり、Ｒ1およびＲ1’は、各々互いに独立して、以下からなる群から選択される芳香族基であり、
【化４】
2019104905.tif 000004
式中、
【化５】
2019104905.tif 000005
は、Ｒ1およびＲ1’基の前記化合物への結合点を表す、請求項１に記載のインク組成物。
【請求項１０】
前記ゲル化剤が、前記インク組成物の総重量に基づいて、約１．５重量パーセント〜約４．５重量パーセントの量で存在するアミドゲル化剤を含む、請求項１に記載のインク組成物。
【請求項１１】
前記ゲル化剤が、約８００〜約２，５００の重量平均分子量を有する低分子量アミドゲル化剤を含み、前記低分子量アミドゲル化剤が、前記インク組成物の総重量に基づいて、約１．５重量パーセント〜約４．５重量パーセントの量で存在する、請求項１に記載のインク組成物。
【請求項１２】
前記ゲル化剤が、前記インク組成物の総重量に基づいて、約５重量パーセントの量で存在するビス尿素ゲル化剤を含む、請求項１に記載のインク組成物。
【請求項１３】
前記インク組成物が、約２５℃〜約３５℃の温度でインク噴射可能およびピニング可能の両方であるという特性を有する、請求項１に記載のインク組成物。
【請求項１４】
印刷する方法であって、
中間転写部材上または直接最終像受容基材上に像様パターンでインク組成物を配置することを含み、
任意で、中間転写部材を使用した場合、前記中間転写部材から最終記録基材へ前記像様パターンで前記インクを転写することを含んでいてもよく、
放射線に前記像様パターンを曝露して、前記インクを硬化させることを含み、
前記インク組成物が、少なくとも１つの硬化性モノマーと、少なくとも１つのゲル化剤を含み、任意の光開始剤を含んでもよく、任意の着色剤を含んでもよく、前記インク組成物が、約２０℃〜約４０℃の温度で約１０2センチポイズ〜約１０4センチポイズの粘度を有し、
前記インク組成物が、約２０℃〜約４０℃の温度でインク噴射可能およびピニング可能の両方であるという特性を有する、方法。
【請求項１５】
前記ゲル化剤が、前記インク組成物の総重量に基づいて、約１．５重量パーセント〜約４．５重量パーセントの量で存在するアミドゲル化剤を含む、請求項１４に記載の方法。
【請求項１６】
前記ゲル化剤が、前記インク組成物の総重量に基づいて、約５重量パーセントの量で存在するビス尿素ゲル化剤を含む、請求項１４に記載の方法。
【請求項１７】
前記インク組成物が、約２５℃〜約３５℃の温度で約１０2センチポイズ〜約１０4センチポイズの粘度を有する、請求項１４に記載の方法。
【請求項１８】
約２０〜約４０℃の温度での噴射を可能にするために、前記インク組成物に剪断または機械的補助を提供することをさらに含む、請求項１４に記載の方法。
【手続補正２】
【補正対象書類名】明細書
【補正対象項目名】０１５３
【補正方法】変更
【補正の内容】
【０１５３】
比較例５および実施例６、７および８のアミドゲル化剤濃度の関数としてのインク粘度を測定した。結果を図２に示す。比較インク実施例５では、ゲル化剤濃度は、７．５重量パーセントである。ゲル化剤の濃度を４．５重量パーセント〜３重量パーセントから１．５重量パーセントに低下させることにより（それぞれ実施例６、７、および８）、インク組成物の室温粘度は、所望の範囲、実施形態では約１０２〜約１０４センチポイズに低下する。
本発明のまた別の態様は、以下のとおりであってもよい。
〔１〕インク組成物であって、
少なくとも１つの硬化性モノマーと、
少なくとも１つのゲル化剤と、
任意の光開始剤と、
任意の着色剤と、を含み、
前記インク組成物が、約２０℃〜約４０℃の温度で１０6センチポイズ未満の粘度を有し、
前記インク組成物が、約２０℃〜約４０℃の温度でインク噴射可能およびピニング可能の両方であるという特性を有する、インク組成物。
〔２〕前記インク組成物が、約２０℃〜約４０℃の温度で１０5センチポイズ未満の粘度を有する、前記〔１〕に記載のインク組成物。
〔３〕前記インク組成物が、約２０℃〜約４０℃の温度で約１０2センチポイズ〜約１０4センチポイズの粘度を有する、前記〔１〕に記載のインク組成物。
〔４〕前記インク組成物が、約２５℃〜約３５℃の温度で約１０2センチポイズ〜約１０4センチポイズの粘度を有する、前記〔１〕に記載のインク組成物。
〔５〕前記インク組成物が、約２０℃〜約４０℃の温度で約１０2.5センチポイズ〜約１０3.5センチポイズの粘度を有する、前記〔１〕に記載のインク組成物。
〔６〕前記インク組成物が、約２５℃〜約３５℃の温度で約１０2.5センチポイズ〜約１０3.5センチポイズの粘度を有する、前記〔１〕に記載のインク組成物。
〔７〕前記少なくとも１つのゲル化剤が、アミドゲル化剤、ビス尿素ゲル化剤、およびこれらの組み合わせからなる群から選択されるゲル化剤である、前記〔１〕に記載のインク組成物。
〔８〕前記少なくとも１つのゲル化剤が、約８００〜約２，５００の重量平均分子量を有する低分子量アミドゲル化剤である、前記〔１〕に記載のインク組成物。
〔９〕前記少なくとも１つのゲル化剤が、次式の化合物であり、
【化１】
2019104905.tif 000006

式中、Ｒ1およびＲ1’は、同一または異なることができ、Ｒ1およびＲ1’が、各々互いに独立して、（ｉ）直鎖もしくは分枝鎖、環状もしくは非環状、および置換もしくは非置換アルキル基であり得る、内部に少なくとも１個のエチレン性不飽和を有するアルキル基であって、ヘテロ原子が、前記アルキル基中に任意選択で存在してもよい、アルキル基、（ｉｉ）置換もしくは非置換アリールアルキル基であり得る、内部に少なくとも１個のエチレン性不飽和を有するアリールアルキル基であって、アリールアルキル基のアルキル部分が、直鎖もしくは分枝鎖、環状もしくは非環状、および置換もしくは非置換であり得、ヘテロ原子が、前記アリールアルキル基のアリール部分もしくはアルキル部分のいずれかに任意選択で存在してもよい、アリールアルキル基、（ｉｉｉ）置換もしくは非置換のアルキルアリール基であり得る、内部に少なくとも１個のエチレン性不飽和を有するア1ルキルアリール基であって、前記アルキルアリール基のアルキル部分が、直鎖もしくは分枝鎖、環状もしくは非環状、および置換もしくは非置換であり得、ヘテロ原子が、前記アルキルアリール基のアリール部分もしくはアルキル部分のいずれかに任意選択で存在してもよい、アルキルアリール基、または（ｉｖ）芳香族基であり、
但し、Ｒ1およびＲ1’のうちの少なくとも１つが芳香族基であり、かつＲ1またはＲ1’のいずれも光開始剤基ではないことを条件とし、
Ｒ2およびＲ2’は、同一または異なり、Ｒ2およびＲ2’が、各々互いに独立して、（ｉ）直鎖もしくは分枝鎖、飽和もしくは不飽和、環状もしくは非環状、置換もしくは非置換のアルキレン基であり得るアルキレン基であって、ヘテロ原子が、前記アルキレン基中に任意選択で存在してもよい、アルキレン基、（ｉｉ）置換もしくは非置換アリーレン基であり得るアリーレン基であって、ヘテロ原子が、前記アリーレン基中に任意選択で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分もしくはアルキル部分のいずれかに任意選択で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれかに任意選択で存在してもよい、アルキルアリーレン基から選択され、
式中、Ｒ3は、（ｉ）飽和もしくは不飽和および置換もしくは非置換アルキレン基であり得る直鎖もしくは分枝鎖アルキレン基であって、ヘテロ原子が、前記アルキレン基中に任意選択で存在してもよい、アルキレン基、（ｉｉ）置換もしくは非置換アリーレン基であり得るアリーレン基であって、ヘテロ原子が、前記アリーレン基中に任意選択で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分または前記アルキル部分のいずれかに任意選択で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれかに任意選択で存在してもよい、アルキルアリーレン基である、前記〔１〕に記載のインク組成物。
〔１０〕前記少なくとも１つのゲル化剤が、次式の化合物であり、
【化２】
2019104905.tif 000007

式中、Ｒ1およびＲ1’は、同一であり、Ｒ1およびＲ1’は、各々芳香族基であり、
Ｒ2およびＲ2’は、同一または異なり、Ｒ2およびＲ2’が、各々独立して、（ｉ）直鎖もしくは分枝鎖、飽和もしくは不飽和、環状もしくは非環状、置換もしくは非置換のアルキレン基であり得るアルキレン基であって、ヘテロ原子が、前記アルキレン基中に任意選択で存在してもよい、アルキレン基、（ｉｉ）置換もしくは非置換アリーレン基であり得るアリーレン基であって、ヘテロ原子が、前記アリーレン基中に任意選択で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前アリールアルキレン基のアリール部分もしくはアルキル部分のいずれか中に任意選択で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれか中に任意選択で存在してもよい、アルキルアリーレン基から選択され、
式中、Ｒ3は、（ｉ）飽和もしくは不飽和および置換もしくは非置換アルキレン基であり得る直鎖もしくは分枝鎖アルキレン基であって、ヘテロ原子が、前記アルキレン基中に任意選択で存在してもよい、アルキレン基、（ｉｉ）置換もしくは非置換アリーレン基であり得るアリーレン基であって、ヘテロ原子が、前記アリーレン基中に、任意選択で存在してもよい、アリーレン基、（ｉｉｉ）置換もしくは非置換アリールアルキレン基であり得るアリールアルキレン基であって、前記アリールアルキレン基のアルキル部分が、直鎖もしくは分枝鎖、飽和もしくは不飽和、環状もしくは非環状、および置換もしくは非置換であり得、ヘテロ原子が、前記アリールアルキレン基のアリール部分もしくはアルキル部分のいずれか中に任意選択で存在してもよい、アリールアルキレン基、または（ｉｖ）置換もしくは非置換アルキルアリーレン基であり得るアルキルアリーレン基であって、前記アルキルアリーレン基のアルキル部分が、直鎖もしくは分枝鎖、飽和もしくは不飽和、環状もしくは非環状、および置換もしくは非置換であり得、ヘテロ原子が、前記アルキルアリーレン基のアリール部分もしくはアルキル部分のいずれか中に任意選択で存在してもよい、アルキルアリーレン基である、前記〔１〕に記載のインク組成物。
〔１１〕前記少なくとも１つのゲル化剤が、次式の化合物であり、
【化３】
2019104905.tif 000008

式中、ｎは、１〜１０であり、Ｒ1およびＲ1’は、各々互いに独立して、以下からなる群から選択される芳香族基であり、
【化４】
2019104905.tif 000009
式中、
【化５】
2019104905.tif 000010

は、Ｒ1およびＲ1’基の前記化合物への結合点を表す、前記〔１〕に記載のインク組成物。
〔１２〕前記ゲル化剤が、前記インク組成物の総重量に基づいて、約１．５重量パーセント〜約４．５重量パーセントの量で存在するアミドゲル化剤を含む、前記〔１〕に記載のインク組成物。
〔１３〕前記ゲル化剤が、約８００〜約２，５００の重量平均分子量を有する低分子量アミドゲル化剤を含み、前記低分子量アミドゲル化剤が、前記インク組成物の総重量に基づいて、約１．５重量パーセント〜約４．５重量パーセントの量で存在する、前記〔１〕に記載のインク組成物。
〔１４〕前記ゲル化剤が、前記インク組成物の総重量に基づいて、約５重量パーセントの量で存在するビス尿素ゲル化剤を含む、前記〔１〕に記載のインク組成物。
〔１５〕前記インク組成物が、約２５℃〜約３５℃の温度でインク噴射可能およびピニング可能の両方であるという特性を有する、前記〔１〕に記載のインク組成物。
〔１６〕印刷する方法であって、
中間転写部材上または直接最終像受容基材上に像様パターンでインク組成物を配置することと、
任意選択で、中間転写部材を使用した場合、前記中間転写部材から最終記録基材へ前記像様パターンで前記インクを転写することと、
放射線に前記像様パターンを曝露して、前記インクを硬化させることと、を含み、
前記インク組成物が、少なくとも１つの硬化性モノマーと、少なくとも１つのゲル化剤と、任意の光開始剤と、任意の着色剤と、を含み、前記インク組成物が、約２０℃〜約４０℃の温度で１０6センチポイズ未満の粘度を有し、
前記インク組成物が、約２０℃〜約４０℃の温度でインク噴射可能およびピニング可能の両方であるという特性を有する、方法。
〔１７〕前記ゲル化剤が、前記インク組成物の総重量に基づいて、約１．５重量パーセント〜約４．５重量パーセントの量で存在するアミドゲル化剤を含む、前記〔１６〕に記載の方法。
〔１８〕前記ゲル化剤が、前記インク組成物の総重量に基づいて、約５重量パーセントの量で存在するビス尿素ゲル化剤を含む、前記〔１６〕に記載の方法。
〔１９〕前記インク組成物が、約２５℃〜約３５℃の温度で約１０2センチポイズ〜約１０4センチポイズの粘度を有する、前記〔１６〕に記載の方法。
〔２０〕約２０〜約４０℃の温度での噴射を可能にするために、前記インク組成物に剪断または機械的補助を提供することをさらに含む、前記〔１６〕に記載の方法。